(57)【要約】【課題】基板間の配線数を削減することができる撮像装置を提供する。【解決手段】第１基板１００には固体撮像素子１１０が配置されており、第１基板１００は撮像光学系の光軸と略垂直な面内で任意の方向に移動可能である。第２基板２００は筐体内に固定されている。第１基板１００が所定の位置に移動したときに第１基板１００と第２基板２００が電気的に接続され、静止画撮像信号が接触端子３０２により第２基板２００へ伝送される。また、第１基板１００と第２基板２００との間を常時接続するフレキシブルプリント基板３０１を介して、動画撮像信号が第２基板２００へ伝送される。【選択図】図２
2009253693.tif 000002
【特許請求の範囲】
【請求項１】
撮像光学系により結像された被写体像を、２次元状に配列された複数の画素で光電変換することにより生成された撮像信号を出力する撮像素子が配置され、前記撮像光学系の光軸と略垂直な面内で任意の方向に移動可能な第１基板と、
筐体内に固定され、前記撮像信号を処理する信号処理部が配置された第２基板と、
前記第１基板が所定の位置に移動したときに前記第１基板と前記第２基板を電気的に接続し、静止画の前記撮像信号を前記第２基板へ伝送する第１伝送手段と、
前記第１基板と前記第２基板との間を常時接続する配線を介して、前記静止画の撮像信号に係る画素よりも少ない画素に係る動画の前記撮像信号を前記第２基板へ伝送する第２伝送手段と
を有する撮像装置。
【請求項２】
前記第１伝送手段は、前記撮像信号を出力する前記第１基板上の出力部と、前記第１基板が所定の位置に移動したときに前記出力部と接触し前記撮像信号を入力する前記第２基板上の入力部とを有する請求項１に記載の撮像装置。
【請求項３】
前記第１伝送手段は、前記撮像信号を出力する前記第１基板上の出力部と、前記第１基板が所定の位置に移動したときに前記出力部と非接触の状態で前記撮像信号を入力する前記第２基板上の入力部とを有する請求項１に記載の撮像装置。
【発明の詳細な説明】
【技術分野】
【０００１】
本発明は、撮像素子を移動体として手振れ補正を行うよう構成された撮像装置に関する。
【背景技術】
【０００２】
従来より、手ブレによる光軸のズレを補正して鮮明な画像を得る手振れ補正技術が実用化されている。この手振れ補正技術には、撮像光学系を移動させるタイプと、撮像素子を移動させるタイプのものが知られている。この手振れ補正技術のうち、撮像素子を撮像光学系の光軸と略垂直な面内で移動させて補正するタイプは、使用する撮像光学系全てに対応することができる利点を有する。
【０００３】
この撮像素子を移動させるタイプでは、撮像素子のみを移動させるのではなく、撮像素子が配置された基板ごと移動させるのが一般的である。さらに、移動に必要な駆動負荷を低減させるために、撮像に係る基板を分割し、その間をフレキシブルプリント基板などで電気的に接続し、撮像素子が配置された基板のみを移動させる手振れ補正撮像装置が知られている（例えば特許文献１参照）。
【特許文献１】特開２００７−４３１２９号公報
【発明の開示】
【発明が解決しようとする課題】
【０００４】
近年、撮像素子の多画素化および高速化に伴い、撮像素子の出力チャンネル数が増加している。また、撮像機能が多様化し駆動が複雑になり、制御信号なども増加している。特に、デジタル一眼レフカメラに使用される固体撮像素子では、高画素化しても静止画の連写コマ数を確保する必要があるため、全画素の信号を用いる静止画の撮像信号を高速に出力するために出力チャンネル数の増加が必須となっている。また、デジタル一眼レフカメラにおいては、動画の撮像信号を必要とするEVF（Electric View Finder）機能やライブビューモードを搭載するようになり、撮像機能が多様化している。
【０００５】
このように信号数が増加すると、上述したような撮像に係る基板を分割した場合においては、分割した基板間を電気的に接続するための配線数が増加し、撮像素子が配置された基板により大きな負荷がかかり、手振れ補正のための基板の移動が困難になってしまうという問題があった。
【０００６】
本発明は、上述した課題に鑑みてなされたものであって、基板間の配線数を削減することができる撮像装置を提供することを目的とする。
【課題を解決するための手段】
【０００７】
本発明は、上記の課題を解決するためになされたもので、撮像光学系により結像された被写体像を、２次元状に配列された複数の画素で光電変換することにより生成された撮像信号を出力する撮像素子が配置され、前記撮像光学系の光軸と略垂直な面内で任意の方向に移動可能な第１基板と、筐体内に固定され、前記撮像信号を処理する信号処理部が配置された第２基板と、前記第１基板が所定の位置に移動したときに前記第１基板と前記第２基板を電気的に接続し、静止画の前記撮像信号を前記第２基板へ伝送する第１伝送手段と、前記第１基板と前記第２基板との間を常時接続する配線を介して、前記静止画の撮像信号に係る画素よりも少ない画素に係る動画の前記撮像信号を前記第２基板へ伝送する第２伝送手段とを有する撮像装置である。
【０００８】
また、本発明の撮像装置において、前記第１伝送手段は、前記撮像信号を出力する前記第１基板上の出力部と、前記第１基板が所定の位置に移動したときに前記出力部と接触し前記撮像信号を入力する前記第２基板上の入力部とを有する。
【０００９】
また、本発明の撮像装置において、前記第１伝送手段は、前記撮像信号を出力する前記第１基板上の出力部と、前記第１基板が所定の位置に移動したときに前記出力部と非接触の状態で前記撮像信号を入力する前記第２基板上の入力部とを有する。
【発明の効果】
【００１０】
本発明によれば、第１基板が所定の位置に移動したときに第１基板と第２基板が電気的に接続され、静止画の撮像信号が伝送されるので、静止画の撮像信号については常時接続が不要となり、基板間の配線数を削減することができるという効果が得られる。
【発明を実施するための最良の形態】
【００１１】
以下、図面を参照し、本発明の実施形態を説明する。
【００１２】
（第１の実施形態）
まず、本発明の第１の実施形態を説明する。図１は、本実施形態によるデジタルカメラ１の構成を示している。図１に示すように、デジタルカメラ１は、カメラ本体２と、レンズなどを含む撮像光学系３とから構成される。カメラ本体２は、露光時間を制御するメカシャッタ機構４と、手振れ補正機能を有する撮像装置１０とから構成される。
【００１３】
撮像装置１０には、撮像光学系３により結像された被写体像を光電変換し撮像信号を出力する固体撮像素子１１０が設けられている。そして、図１の矢印５が示すように撮影中にデジタルカメラ１が動いて、撮像光学系３に入射する光線がずれた場合に、矢印６が示す方向に固体撮像素子１１０を移動させることにより光線のずれが補正される。
【００１４】
図２は撮像装置１０の構成を示している。図２に示すように、撮像に係る複数の素子が配置された第１基板１００と第２基板２００が撮像装置１０内に設けられている。第１基板１００には、固体撮像素子１１０が配置されている。詳細は後述するが、固体撮像素子１１０は静止画撮像信号用の複数の出力端子と動画撮像信号用の出力端子を有している。また、第１基板１００には、固体撮像素子１１０のほかに、TG（タイミングジェネレータ）１０３と、バイアス回路１０４と、AFE（アナログフロントエンド）１０５，１０６と、パラレル・シリアル変換部１０７，１０８とが配置されている。
【００１５】
TG１０３は、固体撮像素子１１０を駆動するための信号を生成する。バイアス回路１０４は、第２基板２００から供給される駆動電力を固体撮像素子１１０に印加する。AFE１０５，１０６は、固体撮像素子１１０から出力された静止画撮像信号と動画撮像信号をそれぞれ増幅しAD変換などを行う。パラレル・シリアル変換部１０７，１０８は、AFE１０５，１０６で変換されたデジタルデータをシリアルデータに変換する。
【００１６】
第１基板１００は、手振れ補正枠４０１上に配置されたｙ方向手振れ補正部４０２によって保持されている。ｙ方向手振れ補正部４０２は、第１基板１００を矢印Ｙの方向（ｙ方向）に移動させることが可能である。さらに、手振れ補正枠４０１は、カメラ本体２に固定されたｘ方向手振れ補正部４０３によって保持されている。ｘ方向手振れ補正部４０３は、手振れ補正枠４０１を矢印Ｘの方向（ｘ方向）に移動させることが可能である。したがって、第１基板１００に配置された固体撮像素子１１０は、ｙ方向手振れ補正部４０２およびｘ方向手振れ補正部４０３により、撮像光学系３の光軸と略垂直な面内で移動することが可能である。
【００１７】
第２基板２００には、シリアル・パラレル変換部２０１，２０２と、信号処理部２０３と、電源２０４と、制御部２０５とが配置されている。シリアル・パラレル変換部２０１は、第１基板１００でシリアルデータ化された複数の静止画撮像信号をパラレルデータに変換し、多重化して出力する。シリアル・パラレル変換部２０２は、第１基板１００でシリアルデータ化された動画撮像信号をパラレルデータに変換する。信号処理部２０３は、シリアル・パラレル変換部２０１，２０２からの信号に対して、画像として保存や表示を行うためなどの信号処理を行う。電源２０４は、撮像装置１０の各部に供給する駆動電力を発生する。制御部２０５は撮像装置１０全体の動作を制御する。
【００１８】
第１基板１００と第２基板２００間の信号伝送は以下のように行われる。静止画撮像信号は、第１基板１００と第２基板２００それぞれに設けた接触端子３０２を接触させることにより伝送される。この接触端子３０２は、静止画撮像信号を出力する第１基板１００上の接触端子３０２ａ（出力部）と、接触端子３０２ａから出力された静止画撮像信号を入力する第２基板２００上の接触端子３０２ｂ（入力部）とから構成される。動画撮像信号、クロック信号、電源、GNDなどの信号伝送は、基板間で常時接続されたフレキシブルプリント基板３０１を介して行われる。
【００１９】
図３は固体撮像素子１１０の構成を示している。図３に示す固体撮像素子１１０は、駆動モードとして、ほぼ全画素の信号を用いる静止画撮像モードと、任意画素の信号を用いて撮像を行うEVFやライブビューモードで用いられる動画撮像モードとを有する。以下、図３に示す固体撮像素子１１０の構成を説明する。
【００２０】
画素部１１１は、n行 m列分の画素P11〜Pnmを２次元状に配列した構造を有する。ここでn、mは1以上の整数である。第１垂直走査回路１２０は、静止画撮像モード時に行の選択を行うための行選択信号を出力する。転送スイッチ１４１は、静止画撮像モード時に第１垂直走査回路１２０により選択された画素行の信号を第１水平読出し回路１４０に転送する。転送スイッチ１４１の動作は、制御信号ckT1により制御される。メモリ１４２は、転送スイッチ１４１を介して転送される画素信号を記憶しておくための容量素子などからなる。
【００２１】
水平選択スイッチ１４３は、メモリ１４２に記憶された画素信号を選択する。水平選択スイッチ１４３の動作は、静止画撮像モード用の第１水平走査回路１３０から出力される列選択信号H1-1，H1-2，・・・，H1-m/4により制御される。水平選択スイッチ１４３には4列毎に同じ列選択信号が印加されるので、水平選択スイッチ１４３を介して転送された画素信号は4列毎に出力チャンネルch-1A，ch-1B，ch-1C，ch-1Dから、出力アンプ１４４を介してそれぞれ出力される。
【００２２】
第２垂直走査回路１５０は、動画撮像モード時に行の選択を行うための行選択信号を出力する。転送スイッチ１７１は、動画撮像モード時に第２垂直走査回路１５０により選択された画素行の信号を第２水平読出し回路１７０に転送する。転送スイッチ１７１の動作は、制御信号ckT2により制御される。メモリ１７２は、転送スイッチ１７１を介して転送される画素信号を記憶しておくための容量素子などからなる。
【００２３】
水平選択スイッチ１７３は、メモリ１７２に記憶された画素信号を選択する。水平選択スイッチ１７３の動作は、動画撮像モード用の第２水平走査回路１６０から出力される列選択信号H2-1，H2-2，・・・，H2-mにより制御される。水平選択スイッチ１７３には、水平選択スイッチ１４３とは異なり、1列毎に異なる列選択信号が印加される。水平選択スイッチ１７３を介して転送された画素信号は、出力アンプ１７４を介して出力チャンネルch-2から出力される。
【００２４】
以上のように、図３に示した固体撮像素子１１０は、静止画撮像モード時には、出力チャンネルch-1A, ch-1B, ch-1C, ch-1Dから画素信号を出力し、動画撮像モード時には、出力チャンネルch-2から画素信号を出力する構成となっている。
【００２５】
次に、図３に示した固体撮像素子１１０の動作を説明する。前述したように、固体撮像素子１１０は静止画撮像モードと動画撮像モードを有する。まず、図４を参照しながら、静止画撮像モードの動作を説明し、続いて図５および図６を参照しながら動画撮像モードの動作を説明する。
【００２６】
図４〜図６において、VDは垂直同期信号、HDは水平同期信号を示している。ckT1は転送スイッチ１４１のオンオフを制御する転送信号であり、ckT2は転送スイッチ１７１のオンオフを制御する転送信号である。V1-1〜V1-nは行選択信号であり、静止画撮像モード用の第１垂直走査回路１２０から出力される。H1-1〜H1-(m/4)は、水平選択スイッチ１４３の動作を制御する列選択信号であり、静止画撮像モード用の第１水平走査回路１３０から出力される。V2-1〜V2-nは行選択信号であり、動画撮像モード用の第２垂直走査回路１５０から出力される。H2-1〜H2-mは、水平選択スイッチ１７３の動作を制御する列選択信号であり、動画撮像モード用の第２水平走査回路１６０から出力される。ch-1A，ch-1B，ch-1C，ch-1D，ch-2は、各出力チャンネルから出力される画素信号を示している。
【００２７】
図４に示す静止画撮像モードのタイミングチャートは、メカシャッタ機構４を用いて露光を行った後の画素信号を出力する動作を示している。一般的にメカシャッタを用いる場合は、メカシャッタを閉じ撮像素子を遮光した状態で全画素のリセット（初期リセット）を行い、その後メカシャッタを所望の時間開いて露光し、露光終了後にメカシャッタが閉じた状態で画素信号を出力する。図４は、初期リセットと露光が既に終了したものとしてその後の画素信号の出力動作を示している。
【００２８】
図４において、静止画撮像モード用の第１垂直走査回路１２０が動作し、まず水平ブランキング期間である期間T1内で、行選択信号V1-1が“H”レベルとなると、1行目の画素P11〜P1mが選択される。この間は転送信号ckT1が“H”レベルであり、転送信号ckT2が“L”レベルであるため、選択された画素P11〜P1mの画素信号はメモリ１４２に記憶される。その後、水平有効期間である期間T2内で静止画撮像モード用の第１水平走査回路１３０のみが動作し、順に列選択信号が“H”レベルとなると、メモリ１４２に記憶された画素P11〜P1mの信号が4列毎に順次出力チャンネルch-1A，ch-1B，ch-1C，ch-1Dに出力される。
【００２９】
次の水平ブランキング期間である期間T3内で行選択信号V1-2が“H”レベルとなると、2行目の画素P21〜P2mが選択される。この間は転送信号ckT1が“H”レベルであり、転送信号ckT2が“L”レベルであるため、選択された画素P21〜P2mの画素信号はメモリ１４２に記憶される。その後、水平有効期間である期間T4内で静止画撮像モード用の第１水平走査回路１３０が動作し、順に列選択信号が“H”レベルとなると、メモリ１４２に記憶された画素P21〜P2mの信号が4列毎に順次出力チャンネルch-1A，ch-1B，ch-1C，ch-1Dに出力される。
【００３０】
以後同様に、水平ブランキング期間中に静止画撮像モード用の第１垂直走査回路１２０により、3行目からn行目までの画素が選択され、水平有効期間中に第１水平走査回路１３０により、その画素信号が4列毎に順次出力チャンネルch-1A，ch-1B，ch-1C，ch-1Dに出力され、全画素の信号が出力されると動作が終了する。
【００３１】
図４に示す静止画撮像モードでは、転送信号ckT2は常時“L”レベルであり、動画撮像モード用の第２水平走査回路１６０は水平選択スイッチ１７３を動作させないので、出力チャンネルch-2からは画素信号は出力されない。また、動画撮像モード用の第２垂直走査回路１５０の出力はハイインピーダンス状態であるので、行選択動作は静止画撮像モード用の第１垂直走査回路１２０の出力に従って行われる。
【００３２】
続いて動画撮像モードの動作を説明する。図５に示す動画撮像モードのタイミングチャートでは、図７（ａ）に示すように全画素領域のうち水平および垂直ともに2行、2列ずつ飛ばして1/3ずつに間引いた画素信号を出力する場合の動作を説明する。このように全画素領域を間引いた信号は、解像度が落ちるものの、画像全体の情報を高フレームレートで動画出力することができるので、EVFやライブビューモードなどで利用される。
【００３３】
図５において、動画撮像モード用の第２垂直走査回路１５０が動作し、まず水平ブランキング期間である期間T1内で行選択信号V2-1が“H”レベルとなると、1行目の画素P11〜P1mが選択される。この間は転送信号ckT1が“L”レベルであり、転送信号ckT2が“H”レベルであるため、選択された画素P11〜P1mの画素信号はメモリ１７２に記憶される。その後、水平有効期間である期間T2内で動画撮像モード用の第２水平走査回路１６０のみが動作し、2列分ずつ飛ばしながら列選択信号H2-1，H2-4，・・・，H2-(3h+1)（hは0以上の整数、3h＋１はm以下）が“H”レベルとなると、メモリ１７２に記憶された画素P11，P14，・・・，P1(3h+1)の信号が順次出力チャンネルch-2に出力される。
【００３４】
次の水平ブランキング期間である期間T3内では、2行分飛ばして行選択信号V2-4が“H”レベルとなると、4行目の画素P41〜P4mが選択される。この間は転送信号ckT1が“L”レベルであり、転送信号ckT2が“H”レベルであるため、選択された画素P41〜P4mの画素信号はメモリ１７２に記憶される。その後、水平有効期間である期間T4内で動画撮像モード用の第２水平走査回路１６０が動作し、2列分ずつ飛ばしながら列選択信号H2-1，H2-4，・・・，H2-(3h+1)が“H”レベルとなると、メモリ１７２に記憶された画素P41，P44，・・・，P1(3h+1)の信号が順次出力チャンネルch-2に出力される。
【００３５】
以後同様に、動画撮像モード用の第２垂直走査回路１５０により、水平ブランキング期間中に2行分ずつ飛ばした7行目から3i＋１行目（iは0以上の整数、3i＋１はn以下）までの画素が選択され、水平有効期間中に2列分ずつ飛ばした画素信号が順次出力チャンネルch-2に出力される。その後、また次のフレームの信号出力動作を行い、これを繰り返すことにより画像全体の情報を高フレームレートで動画出力することとなる。
【００３６】
図５に示す動画撮像モードでは、転送信号ckT1は常時“L”レベルであり、静止画撮像モード用の第１水平走査回路１３０は水平選択スイッチ１４３を動作させないので、出力チャンネルch-1A，ch-1B，ch-1C，ch-1Dからは画素信号は出力されない。また、静止画撮像モード用の第１垂直走査回路１２０の出力はハイインピーダンス状態であるので、行選択動作は動画撮像モード用の第２垂直走査回路１５０の出力に従って行われる。
【００３７】
続いて動画撮像モードの別の動作を説明する。図６に示す動画撮像モードのタイミングチャートでは、図７（ｂ）に示すように全画素領域のうち一部の領域であるx行x列〜y行ｙ列（x，yは1以上の整数、x<y、x<n、y<m）の画素信号を出力する場合の動作を説明する。このように全画素領域のうち一部の領域の信号を出力する場合は、この領域の情報を拡大して高フレームレートで動画出力することになるので、ライブビューモード時の拡大表示などで利用される。
【００３８】
図６において、動画撮像モード用の第２垂直走査回路１５０が動作し、まず水平ブランキング期間である期間T1内で行選択信号V2-(x)が“H”レベルとなると、x行目の画素Px1〜Pxmが選択される。この間は転送信号ckT1が“L”レベルであり、転送信号ckT2が“H”レベルであるため、選択された画素Px1〜Pxmの画素信号はメモリ１７２に記憶される。その後、水平有効期間である期間T2内で動画撮像モード用の第２水平走査回路１６０のみが動作し、列選択信号H2-(x)〜H2-(y)が順に“H”レベルとなると、メモリ１７２に記憶された画素Pxx〜Pxyの信号が順次出力チャンネルch-2に出力される。
【００３９】
次の水平ブランキング期間である期間T3内では、行選択信号V2-(x+1)が“H”レベルとなると、(x+1)行目の画素P(x+1)1〜P(x+1)mが選択される。この間は転送信号ckT1が“L”レベルであり、転送信号ckT2が“H”レベルであるため、選択された画素P(x+1)1〜P(x+1)mの画素信号はメモリ１７２に記憶される。その後、水平有効期間である期間T4内で動画撮像モード用の第２水平走査回路１６０が動作し、列選択信号H2-(x)〜H2-(y)が順に“H”レベルとなると、メモリ１７２に記憶された画素P(x+1)x〜P(x+1)yの信号が順次出力チャンネルch-2に出力される。
【００４０】
以後同様に、動画撮像モード用の第２垂直走査回路１５０により、水平ブランキング期間中にy行目までの画素が選択され、水平有効期間中にx列からy列までの画素信号が順次出力チャンネルch-2に出力される。その後、また次のフレームの信号出力動作を行い、これを繰り返すことにより全画素領域の一部領域の情報を高フレームレートで動画出力することとなる。
【００４１】
図６に示す動画撮像モードでは、図５と同様に転送信号ckT1は常時“L”レベルであり、全画素用の第１水平走査回路１３０は水平選択スイッチ１４３を動作させないので、出力チャンネルch-1A，ch-1B，ch-1C，ch-1Dからは画素信号は出力されない。また、静止画撮像モード用の第１垂直走査回路１２０の出力はハイインピーダンス状態であるので、行選択動作は動画撮像モード用の第２垂直走査回路１５０の出力に従って行われる。
【００４２】
次に、図８を参照しながら、撮像装置１０の動作を説明する。図８は、デジタルカメラ１の動作と、固体撮像素子１１０の位置および駆動モードと、メカシャッタ機構４の開閉状態とを示している。また、図８は、第１基板１００上に配置されている固体撮像素子１１０から出力される画素信号の第２基板２００への伝送についても示している。ここで、固体撮像素子１１０の位置について記した第１の位置は、第１基板１００と第２基板２００それぞれに設けた接触端子３０２が接触する位置を示している。また、第２の位置は、撮像光学系３の光軸中心と固体撮像素子１１０の受光面中心がほぼ一致し、撮像および手振れ補正動作が可能な位置を示している。
【００４３】
図８に示すように、デジタルカメラ１は、時刻t1までライブビューもしくはEVFの動画撮像モード状態にあり、その後、時刻t1で静止画撮像モード状態となり、静止画撮像の終了後、時刻t4で再び動画撮像モード状態となる。固体撮像素子１１０は、この動作に合わせて、時刻t1以前および時刻t4以降は動画撮像モードで駆動され、図５と図６で説明したような全画素領域を間引いた信号や全画素領域の一部領域の信号を高フレームレートで動画出力する。なお、この期間ではメカシャッタ機構４は開状態である。また、この期間に固体撮像素子１１０から出力される画素信号の第２基板２００への伝送は、フレキシブルプリント基板３０１を介して行われる。
【００４４】
時刻t1からt4の期間では、固体撮像素子１１０は静止画撮像モードで駆動される。具体的には固体撮像素子１１０は、時刻t1〜t2の期間ではメカシャッタ機構４を閉じて遮光し全画素の初期リセットを行い、時刻t2〜t3の期間ではメカシャッタ機構４を開け露光を行う。また、固体撮像素子１１０は、露光が終了した時刻t3〜t4の期間では、図４で説明した通りに全画素の信号を出力する。
【００４５】
また、この時刻t3〜t4の期間では、ｙ方向手振れ補正部４０２とｘ方向手振れ補正部４０３により、固体撮像素子１１０は、第１基板１００と第２基板２００それぞれに設けた接触端子３０２が接触する位置である第１の位置に移動する。これにより、この期間に固体撮像素子１１０から出力される画素信号の第２基板２００への伝送は、接触端子３０２を介して行われる。静止画撮像が終了すると、カメラ動作は動画撮像モードに移行するが、この時メカシャッタ機構４は開状態となり、固体撮像素子１１０は撮像可能な第２の位置に再び移動する。
【００４６】
なお、時刻t2〜t3の静止画撮像における露光期間中には、手振れが発生すると、それを打ち消す方向に固体撮像素子１１０を移動させるようにｙ方向手振れ補正部４０２およびｘ方向手振れ補正部４０３を制御することにより、手振れ補正が実施される。この手振れ補正動作は、動画撮像モード時に動作させることも可能である。
【００４７】
上述したように、本実施形態によれば、静止画撮像における全画素の出力信号を用いた静止画撮像信号は、第１基板１００が所定の位置に移動し第１基板１００と第２基板２００間が電気的に接続されたときに伝送されるので、常時接続のための配線が不要となり、この分について基板間の配線数を削減することが可能となる。一方、EVFやライブビューモードに用いられる任意画素の出力信号を用いた動画撮像信号は、固体撮像素子１１０が配置されている第１基板１００と、カメラ本体２に固定されている第２基板２００との間を常時接続するフレキシブルプリント基板３０１により伝送されるので、EVFやライブビュー動作が可能となる。
【００４８】
例えば、総画素数が12M（メガ）画素の固体撮像素子を用いた場合に、静止画の連写コマ数を10コマ/sとすると、1画素あたりの出力データレートは、12M画素×10コマ/s=120M画素/s=120MHzとなり、駆動レートを20MHzとした場合は、必要な出力チャンネル数は6本となる。一方、EVFやライブビューモードにおける動画出力時は、VGAサイズ（680画素×480画素）の画像を60フレーム/sで出力するとすれば、その時のデータレートは680× 480×60=20M画素/s=20MHzであるため、駆動レートを20MHzとすると、出力チャンネル数は１本で済むこととなる。したがって、動画撮像信号用に基板間で常時1本の信号線の接続を行ったとしても、静止画撮像信号用の6本の配線については、削減することが可能となる。
【００４９】
（第２の実施形態）
次に、本発明の第２の実施形態を説明する。本実施形態では、複数の静止画撮像信号を基板間で伝送する際に、各基板に設けた端子を直接接触させるのではなく、非接触で信号伝送を行う例を示す。図９は、第１基板１００と第２基板２００に設けたスパイラルインダクタを用い、誘導結合を利用して、基板間の静止画撮像信号の伝送を非接触で行うための構造例を示している。図９（ａ）は第１基板１００と第２基板２００の平面図であり、図９（ｂ）は図９（ａ）のＡ−Ａ’線の断面図を示している。なお、図９は、基板間の静止画撮像信号伝送に係わる部分のみを示しており、その他の部分については図２と同様である。また、図９では、固体撮像素子１１０が設けられている第１基板１００を、図８に記した第１の位置に移動させた状態を示している。
【００５０】
図９に示すように、第１基板１００にはスパイラルインダクタ３０７（出力部）が設けられ、第２基板２００にはスパイラルインダクタ３０８（入力部）が設けられている。また、第１基板１００には、信号伝送時に静止画撮像信号に係わる信号を変調してスパイラルインダクタ３０７に伝達する変調回路３１０が設けられ、第２基板２００には、信号伝送時に誘導結合によりスパイラルインダクタ３０８に生じる電流変化を信号データに復調する復調回路３１１が設けられている。
【００５１】
本実施形態によれば、スパイラルインダクタ３０７，３０８を近接させることで誘導結合により生じる電流変化を利用し、基板間が非接触のままで信号伝送を行うことが可能となる。上記では、スパイラルインダクタを用いた誘導結合による信号伝送を説明したが、容量結合による信号伝送や、発光素子と受光素子を用いた光による信号伝送を利用することにより、基板間を直接接触させずに信号伝送を行うこともできる。
【００５２】
以上、図面を参照して本発明の実施形態について詳述してきたが、具体的な構成は上記の実施形態に限られるものではなく、本発明の要旨を逸脱しない範囲の設計変更等も含まれる。例えば、基板間を常時接続する配線としては、フレキシブルなものに限らず、同軸線を束ねたものでもよい。また、それぞれの基板に配置した部品構成に関しても上記の構成に限ったものでは無く、例えばAFEを第２基板に設けてもよいし、その機能を固体撮像素子内に持たせることも可能である。また、パラレル・シリアル変換部とシリアル・パラレル変換部を削除することも可能である。
【００５３】
さらに、固体撮像素子は全画素出力用の出力チャンネルと任意画素出力用の出力チャンネルを有していればよく、それぞれの出力チャンネル数は限定されず、全画素出力用の出力チャンネルと任意画素出力用の出力チャンネルが一部共有化されていても構わない。また、固体撮像素子についても、図３に示す構成に限らず、ノイズキャンセル機能や、増幅機能、AD変換機能を有していてもよい。
【図面の簡単な説明】
【００５４】
【図１】本発明の第１の実施形態によるデジタルカメラの構成を示す断面図である。
【図２】本発明の第１の実施形態によるデジタルカメラが備える撮像装置の構成を示すブロック図である。
【図３】本発明の第１の実施形態によるデジタルカメラが備える固体撮像素子の構成を示すブロック図である。
【図４】本発明の第１の実施形態によるデジタルカメラが備える固体撮像素子の動作を説明するためのタイミングチャートである。
【図５】本発明の第１の実施形態によるデジタルカメラが備える固体撮像素子の動作を説明するためのタイミングチャートである。
【図６】本発明の第１の実施形態によるデジタルカメラが備える固体撮像素子の動作を説明するためのタイミングチャートである。
【図７】本発明の第１の実施形態によるデジタルカメラが備える固体撮像素子の動作を説明するための参考図である。
【図８】本発明の第１の実施形態によるデジタルカメラの動作を説明するためのタイミングチャートである。
【図９】本発明の第２の実施形態による基板間の信号伝送を行うための構造を示す構造図である。
【符号の説明】
【００５５】
１・・・デジタルカメラ、２・・・カメラ本体、３・・・撮像光学系、４・・・メカシャッタ機構、１０・・・撮像装置、１００・・・第１基板、１１０・・・固体撮像素子、２００・・・第２基板、３０１・・・フレキシブルプリント基板（第２伝送手段）、３０２，３０２ａ，３０２ｂ・・・接触端子（第１伝送手段）、３０７，３０８・・・スパイラルインダクタ（第１伝送手段）
【図１】
2009253693.tif 000003
【図２】
2009253693.tif 000004
【図３】
2009253693.tif 000005
【図４】
2009253693.tif 000006
【図５】
2009253693.tif 000007
【図６】
2009253693.tif 000008
【図７】
2009253693.tif 000009
【図８】
2009253693.tif 000010
【図９】
2009253693.tif 000011